(57)【要約】【課題】発光状態にばらつきのある複数のＬＥＤが線状に並べられたとしても、線状の発光部が均一に発光している印象を看者に与えることのできる発光装置及びこれを備えた光源装置を提供する。【解決手段】発光装置１において、底部６上にて線状に並べられ横方向に光を放射する複数のＬＥＤ２と、底部６上における並び方向に隣接するＬＥＤ２の間に設けられ、当該ＬＥＤ２から発せられた光を、当該ＬＥＤ２と並び方向について反対側の斜め上方へ反射する反射部３と、を備え、各ＬＥＤ２から発せられる光がよく混合されるようにした。【選択図】図１
2010147305.tif 000002
【特許請求の範囲】
【請求項１】
基体と、
前記基体上にて線状に並べられ、横方向に光を放射する複数のＬＥＤと、
前記基体上における並び方向に隣接するＬＥＤの間に設けられ、当該ＬＥＤから発せられた光を、当該ＬＥＤと並び方向について反対側の斜め上方へ反射する反射部と、
線状に並べられた前記複数のＬＥＤを、少なくとも一方の幅方向外側から覆う壁部と、を備えた発光装置。
【請求項２】
前記壁部は、前記ＬＥＤの近傍にて当該ＬＥＤ側に突出し当該ＬＥＤから発せられた光を前記反射部へ反射させる突出面を有する請求項１に記載の発光装置。
【請求項３】
前記基体は、前記複数のＬＥＤに電力を供給する基板である請求項２に記載の発光装置。
【請求項４】
前記反射部の前記基体からの高さは、前記壁部よりも低い請求項３に記載の発光装置。
【請求項５】
請求項３または４に記載の発光装置と、
前記発光装置から発せられる光が入射する導光板と、を備えた光源装置。
【発明の詳細な説明】
【技術分野】
【０００１】
本発明は、ＬＥＤが線状に並べられる発光装置及びこれを備えた光源装置に関する。
【背景技術】
【０００２】
この種の光源装置として、箱形の金属製の筐体と、筐体の内部におさめられる略平板状の導光板と、筐体の側壁面に装着されたＬＥＤ基板とを備えた照明ユニットが提案されている（例えば、特許文献１参照）。ＬＥＤ基板は、導光板の端面に沿って配置された複数のＬＥＤと、ＬＥＤが実装されるフレキシブル基板とを含んでいる。また、照明ユニットは、さらにＬＥＤ基板と一体化することでフレキシブル基板の剛性を高めるための補強部材を備えている。特許文献１には、ＬＥＤは、発光ダイオード素子が封止樹脂内に埋め込まれて構成され、その上面から実装面に対して垂直方向に光を照射するいわゆるトップビュー方式であると記載されている。
【特許文献１】特開２００８−９１２７５号公報
【発明の開示】
【発明が解決しようとする課題】
【０００３】
しかしながら、特許文献１に記載の発光装置では、各ＬＥＤが密に並べられた状態で発光することから、看者にとっては各ＬＥＤの色度、輝度等のばらつきを認識し易い。これにより、線状に並べられた複数のＬＥＤの発光状態のばらつきが大きいと、線状の発光部に明暗、色ムラ等が視認されてしまうという問題点がある。発光装置が液晶バックライトの光源装置に用いられる場合には、色ムラが表示品質に直接的に影響するため、色ムラを如何に低減させるかが重要となる。
【０００４】
この問題点を解消するには、発光装置に用いられる各ＬＥＤの製造時に、各ＬＥＤの上記ばらつきを小さくすることが考えられるが、これでは各ＬＥＤの製造コストが嵩んでしまう。また、上記ばらつきを許容して多数のＬＥＤを製造しておき、この中から発光状態のばらつきが小さいＬＥＤを選定して発光装置に用いることも考えられるが、ＬＥＤの選定作業が面倒であるし、歩留まりが悪くなるのでこの場合でも製造コストが嵩んでしまう。
【０００５】
本発明は前記事情に鑑みてなされたものであり、その目的とするところは、発光状態にばらつきのある複数のＬＥＤが線状に並べられたとしても、線状の発光部が均一に発光している印象を看者に与えることのできる発光装置及びこれを備えた光源装置を提供することにある。
【課題を解決するための手段】
【０００６】
本発明によれば、基体と、前記基体上にて線状に並べられ、横方向に光を放射する複数のＬＥＤと、前記基体上における並び方向に隣接するＬＥＤの間に設けられ、当該ＬＥＤから発せられた光を、当該ＬＥＤと並び方向について反対側の斜め上方へ反射する反射部と、線状に並べられた前記複数のＬＥＤを、少なくとも一方の幅方向外側から覆う壁部と、を備えた発光装置が提供される。
【０００７】
上記発光装置において、前記壁部は、前記ＬＥＤの近傍にて当該ＬＥＤ側に突出し当該ＬＥＤから発せられた光を前記反射部へ反射させる突出面を有することが好ましい。
【０００８】
上記発光装置において、前記基体は、前記複数のＬＥＤに電力を供給する基板であってもよい。
【０００９】
上記発光装置において、前記反射部の前記基体からの高さは、前記壁部よりも低くてもよい。
【００１０】
また、本発明によれば、上記発光装置と、前記発光装置から発せられる光が入射する導光板と、を備えた光源装置が提供される。
【発明の効果】
【００１１】
本発明によれば、発光状態にばらつきのある複数のＬＥＤが線状に並べられたとしても、線状の発光部が均一に発光している印象を看者に与えることができる。
【発明を実施するための最良の形態】
【００１２】
図１から図５は本発明の第１の実施形態を示し、図１は光源装置の外観斜視説明図である。
図１に示すように、光源装置５１は、線状光源としての発光装置１と、発光装置１から発せられた光が端面に入射される導光板５０と、を備えている。発光装置１は、線状に並べられた複数のＬＥＤ２と、隣接するＬＥＤ２の間に設けられた反射部３と、各ＬＥＤ２を両方の幅方向外側から覆う一対の長尺壁部４と、各ＬＥＤ２を並び方向外側から覆う一対の短尺壁部５と、を備えている。
【００１３】
図２は、発光装置の分解斜視説明図である。
図２に示すように、発光装置１は、各反射部３、各長尺壁部４及び各短尺壁部５とともに底部６を含む箱体７と、各ＬＥＤ２の並び方向へ延びる基板８と、箱体７及び基板８を締結するねじ９と、を備えている。
【００１４】
箱体７は、反射率の良好な材料からなり、例えばナイロン等の白色樹脂からなり一体に成形されている。尚、各反射部３、各反射部３、各長尺壁部４、各短尺壁部５及び底部６は、必ずしも一体に成形される必要はなく、例えば底部６を金属とし、各反射部３、各長尺壁部４及び各短尺壁部５を樹脂としてもよい。このように、箱体７を白色樹脂としたことにより、表面に入射する光は拡散反射される。
【００１５】
図３は、発光装置の側面断面説明図である。
図３に示すように、底部６は、各ＬＥＤ２の並び方向へ延びる板状に形成される。本実施形態においては、底部６は、各ＬＥＤ２を挿通する円形の挿通孔１０を有している。図３に示すように、基体としての底部６は、長手方向外側と中央部とが他部より厚く形成され、厚く形成された部分にねじ９が螺合するねじ穴１１を有している。
【００１６】
各反射部３は、底部６から突出して形成され、上面にて隣接するＬＥＤ２から放射された光を反射する。各反射部３の上面は、各ＬＥＤ２の並び方向について対称に形成され、隣接する各ＬＥＤ２から離隔するにつれて上方へ傾斜する一対の傾斜面１２を有し、各傾斜面１２の会合部が底部６に対する最高部１３となっている。本実施形態においては、各傾斜面１２は、側面視にて、上方へ向かって凸となるよう湾曲して形成されている。ここで、各傾斜面１２は、側面視にて、上方へ向かって凹となるよう湾曲して形成されていてもよいし、直線状に形成されていてもよい。図３の矢印に示すように、各反射部３は、隣接するＬＥＤ２から発せられた光を、当該ＬＥＤ２と並び方向について反対側の斜め上方へ反射する。これにより、各ＬＥＤ２から横方向に出射された光は、底部６から離れる方向へ反射される。本実施形態においては、傾斜面１２が上方へ向かって凸となるよう湾曲しているので、反射部３により各ＬＥＤ２から入射する光を拡散させることができる。尚、各傾斜面１２が上方へ向かって凹となるよう湾曲している場合は、各ＬＥＤ２から入射する光を集光して指向性を高めることができ、導光板５０等への入射効率を向上させることができる。
【００１７】
各長尺壁部４は、底部６の幅方向外縁から上方へ延びる板状に形成される。また、各長尺壁部４は、底部６からの高さが各ＬＥＤ２及び各反射部３と同じとなっている。尚、各長尺壁部４は、各ＬＥＤ２及び各反射部３より高く形成してもよいことは勿論である。
【００１８】
図４は、発光装置の平面説明図である。
図４に示すように、各長尺壁部４は、各ＬＥＤ２と対向する面に、各ＬＥＤ２側へ突出する突出面１４を有している。突出面１４は、各ＬＥＤ２ごとに当該ＬＥＤ２の近傍に設けられ、側面視にて各ＬＥＤ２の中心について対称に形成される。各突出面１４は、各ＬＥＤ２から長尺壁部４側へ放射された光を反射部３の方向へ反射する。
【００１９】
各短尺壁部５は、底部６の長手方向外縁から上方へ延びる。本実施形態においては、並び方向端部に位置するＬＥＤ２から放射された光を反射するため、各短尺壁部５の長手方向内側には、各反射部３と同様の傾斜面１２が形成されている。
【００２０】
基板８は、絶縁体を基材とし、各ＬＥＤ２へ電力を供給するための回路パターンを有している。基板８の回路パターンは、各ＬＥＤ２が直列に接続されるように形成されている。本実施形態においては、基板８は、各ねじ９を挿通するための挿通孔１５と、各ＬＥＤ２のリードフレーム２２，２３を挿通するための挿通孔１６を有している（図３参照）。
【００２１】
図５は、ＬＥＤの断面説明図である。
図５に示すように、ＬＥＤ２は、所定波長の光を発するＬＥＤ素子２１と、ＬＥＤ素子２１が搭載される第１リードフレーム２２と、ＬＥＤ素子２１とワイヤ２４により電気的に接続される第２リードフレーム２３と、ＬＥＤ素子２１及びワイヤ２４を封止する封止部２５と、を有している。また、ＬＥＤ２は、第１リードフレーム２２及び第２リードフレーム２３を固定し、上面に封止部２５が形成される固定部２６を有している。各ＬＥＤ２は、横方向に白色光を放射する。ここでいう横方向とは、底部６の表面に対して平行な方向をいう。
【００２２】
本実施形態においては、ＬＥＤ素子２１は、青色光を発し、封止部２５に含有される図示しない黄色蛍光体を励起する。これにより、封止部２５からは、青色光と黄色光が混合された白色光が放射される。また、本実施形態のＬＥＤ２は砲弾型と呼ばれるものであり、封止部２５は上方へ向かって窄む砲弾形状を呈している。
【００２３】
また、各ＬＥＤ２は、色度に基づいてランク付けされており、並び方向に隣接するＬＥＤ２同士は、同じランクとならないように設定されている。ランク付けの方法は任意であるが、本実施形態においては、図６に示すようにｘｙ色度座標を複数の領域に分割しておき、製造後のＬＥＤ２の色度を測定し、当該ＬＥＤ２の色度がいずれかの領域に属するかでランク付けされる。図６においては、ｘｙ色度座標が等色温度線と等偏差線により複数の領域に分割され、ｘｙ色度座標において黒体放射軌跡７０が通る中心領域７１に属するランクのＬＥＤ２と、中心領域７１と色温度が等しく上側に隣接する上側領域７２に属するランクのＬＥＤ２と、中心領域７１と色温度が等しく下側に隣接する下側領域７３に属するランクのＬＥＤ２と、が同じ発光装置１に用いられる。このように、各ＬＥＤ２のランクはばらついているものの、各ＬＥＤ２の光がよく混合されるため、発光装置１全体としては、各領域の平均的な光が放射されることとなる。
【００２４】
また、封止部２５は、ＬＥＤ素子２１から発せられた光を図５中の矢印に示すように横方向に反射させる切欠反射面２７を上部に有している。本実施形態においては、切欠反射面２７は、ＬＥＤ素子２１の発光面の中心を通る軸を中心として、逆円錐状に切り欠かれて形成されている。これにより、ＬＥＤ２の真上には、直接的に光が入射しない領域Ａが、上記軸を中心とした所定の角度範囲で存在する。尚、ＬＥＤ素子２１から斜め上方へ出射して、封止部２５における上部外側の曲面部分へ入射する光は、封止部２５と空気との界面にて屈折した後、封止部２５から斜め上方へ放射される。
【００２５】
以上のように構成された発光装置１によれば、基板８のアノード電極及びカソード電極に電圧を印加すると、各ＬＥＤ２から横方向へ光が発せられる。各ＬＥＤ２から横方向に発せられた光のうち、反射部３へ入射するものについては、反射部３の傾斜面１２にて当該ＬＥＤ２から遠ざかりつつ導光板５０へ入射する方向へ反射される。これにより、各ＬＥＤ２から発せられた光は、ＬＥＤ２の直上方向には進まず、斜め上方の領域Ｂへ放射される（図３参照）。そして、複数のＬＥＤ２からそれぞれ斜め上方の領域Ｂへ光が進入することから、導光板５０の内部にて各ＬＥＤ２から発せられた白色光がよく混合される。尚、各ＬＥＤ２から反射部３へ入射しない光は、反射することなく斜め上方の領域Ｃへ進む（図３参照）。
【００２６】
ここで、各ＬＥＤ２は、ＬＥＤ素子２１の色度、輝度等や、蛍光体の分散状態等にばらつきがあり、同じ値の電流を流しても同様の発光状態とはならない。そして、各ＬＥＤ２が直列に接続され同じ値の電流が流れることになるから、各ＬＥＤ２は明度、色度等がばらついた状態で発光するが、各ＬＥＤ２から発せられた光がよく混合されることから、導光板５０を全体的に均一な白色光で発光させることができる。すなわち、前述のランクが異なる複数のＬＥＤ２が線状に並べられていても、線状の発光部が均一に発光している印象を看者に与えることができる。尚、導光板５０が存在しない状態では、発光装置１は所定の照射領域を均一な白色光で照射することになる。
【００２７】
従って、発光装置１に用いられる各ＬＥＤ２の製造時に、各ＬＥＤ２の色度等のばらつきを小さくする必要はないし、同じランクのＬＥＤ２を選定することなく、異なるランクのＬＥＤ２を混ぜたとしても均一な発光状態が実現され、製造コストを飛躍的に低減することができる。
【００２８】
また、本実施形態においては、反射部３の傾斜面１２は、上方へ向かって凸となるよう湾曲して形成されているので、各ＬＥＤ２から入射する光を比較的広範囲に拡げることができる。従って、各ＬＥＤ２から発せられる光の混合をより効率的に行うことができる。
【００２９】
ここで、各ＬＥＤ２から横方向に発せられた光のうち、長尺壁部４の突出面１４へ入射するものについては、突出面１４にて反射部３へ直接的に向かう方向へ反射される。これにより、反射部３へ入射する光量を増大させることができるし、長尺壁部４にて反射して反射部３へ入射する光については、長尺壁部４における反射回数を減らして光の減衰を抑制することができる。
【００３０】
また、本実施形態においては、反射部３及び長尺壁部４が白色樹脂であり、入射する光を拡散反射させることから、色ムラの低減をより効果的に行うことができる。
【００３１】
また、本実施形態の発光装置１によれば、底部６から突出する反射部３と、長尺壁部４における突出面１４の突出部分が、補強部材として機能することから、箱体７の強度を向上することができる。これにより、箱体７を小型として、発光装置１の小型化を図ることができる。
【００３２】
図７及び図８は、本実施形態の発光装置の配光特性を示すグラフである。配光特性は、４つのＬＥＤ２が４４ｍｍピッチで並べられ、各ＬＥＤ２の中間に形成される３つの反射部３が４４ｍｍピッチで形成された発光装置１により取得した。各ＬＥＤ２の封止部２５の直径が平面視にて５ｍｍとなるようにし、上方へ凸に形成される各反射部３及び短尺壁部５の傾斜面１２の曲率半径が１５ｍｍとなるようにした。また、各長尺壁部４同士の距離が１１．２ｍｍとなるようにし、底部６の上面から長尺壁部４の上端までの高さが５ｍｍとなるようにし、並び方向外側のＬＥＤ２から短尺壁部５の並び方向外縁までの距離が２２ｍｍとなるようにした。
図７は図１中のθ方向の発光強度を示し、図８は図１中のφ方向の発光強度を示している。θ方向及びφ方向は、発光装置１の上端の仮想平面と、発光装置１の長手方向及び幅方向の中央を通り上方へ延びる軸を基準としている。θ方向は当該軸を発光装置の長手方向側に回転させる方向であり、φ方向は当該軸を発光装置の幅方向側に回転させる方向である。
【００３３】
図７に示すように、θ方向については、−９０°から９０°の範囲で発光が観測され、観測範囲全体で極端な凹凸もなく、全体として満遍なく発光強度が得られている。また、−５０°付近と５０°付近で発光強度がピークとなっており、０°付近で発光強度が比較的小さくなっていることから、斜め上方に放射されるよう光学的制御されていることがわかる。そして、発光装置１から斜めに放射された光が導光板５０へ入射して、導光板５０内で光が混合するようになっている。
【００３４】
また、図８に示すように、φ方向については、−５．５°から５．５°の範囲で発光が観測された。φ方向についても、０°付近で発光強度が比較的小さくなり、各ＬＥＤ２から発せられた光が真上の方向でなく、斜め上方へ放射されていることがわかる。
【００３５】
尚、前記実施形態においては、各ＬＥＤ２が白色光で発光するものを示したが、青色光、緑色光、赤色光等で発光するものであってもよい。また、各ＬＥＤ２が同じ色で発光する必要はなく、例えば、青色光を発するＬＥＤ２と、黄色光を発するＬＥＤ２とを並び方向に互いに違いに設け、発光装置１から出射された青色光と黄色光が混合されて白色光となるようにしてもよい。さらには、青色光、緑色光及び赤色光を発するＬＥＤ２を別個に設けて、発光装置１から出射された青色光、緑色光及び赤色光が混合された白色光となるようにしてもよい。
【００３６】
また、前記実施形態においては、各長尺壁部４の高さが各反射部３と同じものを示したが、例えば図９に示すように、各長尺壁部４の高さを各反射部３よりも高くして、発光装置１における各ＬＥＤ２及び各反射部３の上方に、各ＬＥＤ２の光が混合する混合空間６０を形成してもよい。このように、各反射部３の高さを各長尺壁部４よりも低くすることにより、発光装置１から出射される光を、混合空間６０にて予め混合された状態とすることができる。
【００３７】
また、前記実施形態においては、各ＬＥＤ２の封止部２５が上方へ向かって窄むものを示したが、例えば図１０に示すように、封止部２５ａが上下方向について一定の外形のＬＥＤ２ａを用いてもよい。図１０のＬＥＤ２ａでは、図５のＬＥＤ２と比較して横方向へ出射される光の量が多くなる。
【００３８】
また、前記実施形態においては、砲弾型のＬＥＤ２を用いたものを示したが、例えば図１０に示すように、表面実装型のＬＥＤ２ａを用いてもよい。このＬＥＤ２ａは、ＬＥＤ素子２１の発光面の中心を通る軸を中心として、逆円錐状に切り欠かれて形成された切欠反射面２７ａを有している。この表面実装型のＬＥＤ２ａは、ＬＥＤ素子２１を封止する際に圧縮成形法が用いられており、切欠反射面２７ａの成形性が良好で、的確な光学制御が可能となっている。また、表面実装型のＬＥＤ２ａにおいても、前記実施形態の砲弾型のＬＥＤ２と同様に、封止部２５ａを上方へ向かって窄むようにすることができる。要は、ＬＥＤが基体上にて線状に並べられ、ＬＥＤが横方向に光を放射すればよい。
【００３９】
また、前記実施形態においては、箱体７の底部６が基体をなすものを示したが、例えば図１１に示すように、基板３８を基体としてもよい。図１１の基板３８は、金属をベースとし、表面実装型のＬＥＤ３２の搭載部分に絶縁層及び回路パターンが形成されている。基板３８の金属としては、反射率が比較的良好であり、放熱性の優れたアルミニウムが好ましい。図１１の発光装置３１では、箱体３７の底部３６の上に、基板３８が配置されている。この発光装置３１においては、箱体３７は基板３８が型にインサートされた状態で成形される。尚、図１２に示すように、基板３８の下方の少なくとも一部が開放されるように、箱体３７が成形されていてもよい。さらには、基板３８の各ＬＥＤ３２の中間部を上方へ突出させて、これを反射部としてもよい。この場合、基板３８が基体及び反射部をなすことから、長尺壁部４及び短尺壁部５のみを白色樹脂で成形すればよい。
【００４０】
また、前記実施形態においては、各ＬＥＤ２が一列に並べられた状態を示したが、線状に並べられる各ＬＥＤ２の列の数は任意である。また、各ＬＥＤ２が直線状に並べられたものを示したが、例えば曲線状に並べられていてもよい。
【００４１】
また、前記実施形態においては、発光装置１から発せられた光が導光板５０へ入射されるものを示したが、導光板５０に入射させずに用いても、発光装置１から発せられた光はよく混合される。また、長尺壁部４は、線状に並べられるＬＥＤ２の少なくとも一方の幅方向外側に設けられていればよい。
【００４２】
図１３及び図１４は本発明の第２の実施形態を示し、図１３は光源装置の外観斜視説明図である。
図１３に示すように、光源装置１５１は、線状光源としての発光装置１０１と、円筒状の透明部材１５０と、を備え、発光装置１０１から発せられる光を透明部材１５０を介して放射する。発光装置１０１は、２列の線状に並べられた複数の表面実装型のＬＥＤ３２と、各列の並び方向に隣接するＬＥＤ３２の間に設けられた反射部１０３と、２列に並べられた各ＬＥＤ３２を幅方向外側から覆う一対の長尺壁部１０４と、各ＬＥＤ２を並び方向外側から覆う一対の短尺壁部１０５と、を備えている。発光装置１０１は、各反射部１０３、各長尺壁部１０４及び各短尺壁部１０５を含む箱体１０７と、各ＬＥＤ３２の並び方向へ延びる基板１０６と、を備えている。箱体１０７は、インサート成形により成形されている。
【００４３】
また、発光装置１０１は、装置の長手方向端部に一対の端子部１０９を備え、各端子部１０９を通じて基板１０６の回路パターンに電流を流することにより、各ＬＥＤ３２が発光するようになっている。発光装置１０１は、透明部材２００とともに、従来公知の蛍光灯と同様の外形を呈し、各端子部１０９は従来公知の蛍光灯と同じである。すなわち、この発光装置１０１は、従来公知の蛍光灯の代替の光源として使用することができる。
【００４４】
図１４は、発光装置の模式正面断面図である。
図１４に示すように、透部材１５０の内面には、入射する光を拡散させる拡散フィルム２００が設けられている。発光装置１０１は、基板１０６が上側、各ＬＥＤ３２が下側となるように配置され、発光装置１０１から下方へ光が発せられる。各ＬＥＤ３２から発せられた光は、透明材１５０の内部にて互いによく混合された後、拡散フィルム２００でさらに拡散される。この光源装置１５０によれば、発光装置１０１を用いて室内等の照明を行うことができる。
【００４５】
尚、第２の実施形態においては、透明部材１５０が円筒状のものを示したが、例えば、透明部材１５０は半円筒状や角筒状であってもよく、さらには透明部材１５０を設けない構成としてもよいし、その他、具体的な細部構造等についても適宜に変更可能であることは勿論である。
【図面の簡単な説明】
【００４６】
【図１】図１は、本発明の第１の実施形態を示す光源装置の外観斜視説明図である。
【図２】図２は、発光装置の分解斜視説明図である。
【図３】図３は、発光装置の側面断面説明図である。
【図４】図４は、発光装置の平面説明図である。
【図５】図５は、ＬＥＤの断面説明図である。
【図６】図６は、ｘｙ色度座標の所定領域を分割した状態を示す説明図である。
【図７】図７は、発光装置の配光特性を示すグラフであり、図１中のθ方向の発光強度を示している。
【図８】図８は、発光装置の配光特性を示すグラフであり、図７は図１中のφ方向の発光強度を示している。
【図９】図９は、変形例を示す発光装置の側面断面説明図である。
【図１０】図１０は、変形例を示すＬＥＤの断面説明図である。
【図１１】図１１は、変形例を示す発光装置の側面断面説明図である。
【図１２】図１２は、変形例を示す発光装置の側面断面説明図である。
【図１３】図１３は、本発明の第２の実施形態を示す光源装置の外観斜視説明図である。
【図１４】図１４は、発光装置の模式正面断面図である。
【符号の説明】
【００４７】
１…発光装置、２…ＬＥＤ、２ａ…ＬＥＤ、３…反射部、４…長尺壁部、５…短尺壁部、６…底部、７…箱体、８…基板、９…ねじ、１０…挿通孔、１１…ねじ穴、１２…傾斜面、１３…最高部、１４…突出面、１５…挿通孔、１６…挿通孔、２１…ＬＥＤ素子、２２…第１リードフレーム、２３…第２リードフレーム、２４…ワイヤ、２５…封止部、２５ａ…封止部、２６…固定部、２７…切欠反射面、２７ａ…切欠反射面、３１…発光装置、３２…ＬＥＤ、３６…底部、３７…箱体、３８…基板、５０…導光板、５１…光源装置、１０１…発光装置、１０３…反射部、１０４…長尺壁部、１０５…短尺壁部、１０６…基板、１０７…箱体、１０９…端子部、１５０…透明部材、１５１…光源装置、２００…拡散フィルム。
【図１】
2010147305.tif 000003
【図２】
2010147305.tif 000004
【図３】
2010147305.tif 000005
【図４】
2010147305.tif 000006
【図５】
2010147305.tif 000007
【図６】
2010147305.tif 000008
【図７】
2010147305.tif 000009
【図８】
2010147305.tif 000010
【図９】
2010147305.tif 000011
【図１０】
2010147305.tif 000012
【図１１】
2010147305.tif 000013
【図１２】
2010147305.tif 000014
【図１３】
2010147305.tif 000015
【図１４】
2010147305.tif 000016